(57)【要約】      （修正有）【課題】複数の映像音響インタフェースを有する電気コネクタを提供する。【解決手段】複数の映像音響インタフェースを有する電気コネクタ１は、ディスプレイに適用され、電気コネクタは、本体１１と、伝送線１２と、複数のプラグ１３と、を含む。本体がディスプレイ上に設置され、本体上に複数のピンソケット１１１を設け、ピンソケット両側に複数のピン１１２を設け、複数のピンは、複数の映像音響インタフェースの信号伝送に用い、複数の映像音響インタフェースは、ＶＧＡ、ＤＶＩ、ＨＤＭＩを含む。伝送線１２は、複数のピンに電気接続し、伝送線内部に複数の信号線１２１を設け、各信号線は、映像音響インタフェースの信号伝送に用いる。複数のプラグは、信号線に電気接続し、各１つのプラグがそれぞれ１つの信号線に電気接続し、各プラグは、１つの映像音響インタフェースの信号伝送に用いる。【選択図】図１
0003169391.tif 000002
【実用新案登録請求の範囲】
【請求項１】
ディスプレイに適用される複数の映像音響インタフェースを有する電気コネクタであって、前記電気コネクタは、
前記ディスプレイ上に設置され、前記本体上に複数のピンソケットを設置し、前記ピンソケットの両側に複数のピンを設置し、前記複数のピンは、複数の映像音響インタフェースの信号伝送を行うことに用い、前記複数の映像音響インタフェースがビデオグラフィックアレイ、デジタルビジュアルインタフェース、ＨＤＭＩを含む本体と、
前記複数のピンに電気接続し、内部に複数の信号線を設置し、１つの信号線が１つの映像音響インタフェースの信号伝送を行うことに用いる伝送線と、
前記信号線に電気接続し、１つのプラグがそれぞれ１つの信号線に電気接続し、１つのプラグが１つの映像音響インタフェースの信号伝送を行うことに用いる複数のプラグと、を含む複数の映像音響インタフェースを有する電気コネクタ。
【請求項２】
前記本体及び前記ピンソケットが一体に成型される請求項１に記載の複数の映像音響インタフェースを有する電気コネクタ。
【請求項３】
前記伝送線及び前記複数のプラグが一体に成型される請求項１に記載の複数の映像音響インタフェースを有する電気コネクタ。
【考案の詳細な説明】
【技術分野】
【０００１】
本考案は、電気コネクタに関し、特に、複数の映像音響インタフェースを有する電気コネクタに関する。
【背景技術】
【０００２】
コンピュータ工業の発達により、電気コネクタは、不可欠な電子部品となり、そのうち、電気コネクタ上に複数のピンを設置し、映像音響インタフェースの信号伝送を行うことができ、映像音響インタフェースは、例えば、ビデオグラフィックアレイ（Video Graphics Array,VGA）、デジタルビジュアルインタフェース（Digital Visual Interface,DVI）、ＨＤＭＩ（High Definition Multimedia Interface）等がある。電気コネクタは、通常、特定のプリント回路基板上に取り付けられる。電気コネクタを介して、プリント回路基板上に設置される各種電子部材は初めて電子機器の信号を受信、又は信号を電子機器へ伝送することができる。
【０００３】
ＣＲＴ(Cathode Ray Tube)ディスプレイを主とする年代において、グラフィックカード内のデジタル信号は、先ずＶＧＡを介し、アナログ信号に変換された後に初めてスクリーン上に呈現することができるが、変換の過程において、信号の劣化を招き、歪みの効果を発生する。
【０００４】
ハードウェア技術の進歩に伴い、純デジタルに対する追求が絶えまなく上昇し、ＤＶＩ規格が出現し、ＤＶＩは、完全デジタル化した伝送方式であるので、ディスプレイは、直接デジタル方式で受信でき、１回の変換の過程を少なくし、表示の品質において、顕著な改善を有している。
【０００５】
今日までの発展で、ＤＶＩは、既にボトルネックにあたり、ソニー、日立及び松下等の多くの企業が共同でＨＤＭＩを開発している。ＨＤＭＩは、映像音響インタフェースの欠陥に改良を加え、圧縮していない映像データを直接伝送することができ、音声データも伝送することができ、様々な電子機器、例えば、セットトップボックス、ラジオ、デジタルテレビ、監視器及びプロジェクタ等が、何れもＨＤＭＩにより相互にデータ伝送することができるようになっている。
【０００６】
しかしながら、現在の市場の要求において、ＤＶＩ又はＨＤＭＩ規格を問われることがなく、なぜならば、それぞれその市場性を有しているからである。従って、上記多種の映像音響インタフェースの型式及び機能が異なるので、如何に一体に統合するかが実際の趨勢となっている。
【考案の概要】
【考案が解決しようとする課題】
【０００７】
本考案の目的は、複数の映像音響インタフェースを有する電気コネクタを提供し、複数の映像音響インタフェースを電気コネクタ上に統合することにある。
【課題を解決するための手段】
【０００８】
上記の目的を達成する為、本考案が提供する複数の映像音響インタフェースを有する電気コネクタは、ディスプレイに適用され、該電気コネクタは、本体と、伝送線と、複数のプラグと、を含む。該本体は、該ディスプレイ上に設置され、該本体上に複数のピンソケットを設置し、該ピンソケットの両側に複数のピンを設置し、該複数のピンは、複数の映像音響インタフェースの信号伝送を行うことに用い、該複数の映像音響インタフェースは、ビデオグラフィックアレイ、デジタルビジュアルインタフェース、ＨＤＭＩを含む。該伝送線は、該複数のピンに電気接続し、該伝送線の内部に複数の信号線を設置し、各１つの信号線は、１つの映像音響インタフェースの信号伝送を行うことに用いる。該複数のプラグは、該信号線に電気接続し、各１つのプラグがそれぞれ１つの信号線に電気接続し、各１つのプラグは、１つの映像音響インタフェースの信号伝送を行うことに用いる。
【０００９】
上記の複数の映像音響インタフェースを有する電気コネクタにおいて、該ディスプレイは、液晶ディスプレイ、プラズマディスプレイ及びプロジェクションディスプレイを含む。
【００１０】
上記の複数の映像音響インタフェースを有する電気コネクタにおいて、該本体は、絶縁材質である。
【００１１】
上記の複数の映像音響インタフェースを有する電気コネクタにおいて、該本体は、該ピンソケットと一体に成型される。
【００１２】
上記の複数の映像音響インタフェースを有する電気コネクタにおいて、該伝送線及び該複数のプラグは、一体に成型される。
【００１３】
上記の複数の映像音響インタフェースを有する電気コネクタにおいて、各１つのプラグが１つの挿入口を有し、該挿入口は、電子設備に接続し、該電子設備の信号を該ディスプレイに伝送するか、該ディスプレイの信号を該電子設備に伝送する。
【考案の効果】
【００１４】
上記のように、本考案の複数の映像音響インタフェースを有する電気コネクタは、複数の映像音響インタフェースの信号伝送を実現し、且つビデオグラフィックアレイ、デジタルビジュアルインタフェース及びＨＤＭＩの規格において、一部のピンの定義が同一であるので、一部のピンは、共用可能であり、従って、本考案は、複数の映像音響インタフェースを統一し、使用上の利便性を向上する以外に、製造コストを低減することもできる。
【図面の簡単な説明】
【００１５】
【図１】本考案の複数の映像音響インタフェースを有する電気コネクタの構造説明図である。
【図２】本考案のピンソケットの細部の拡大図である。
【考案を実施するための形態】
【００１６】
本考案の上記の目的及びその他の目的、特徴及び利点を分かり易くするため、以下に実施例を挙げ、図面に併せて詳細に説明する。
【００１７】
図１は、本考案の複数の映像音響インタフェースを有する電気コネクタの構造説明図である。図１を参照し、本考案は、複数の映像音響インタフェースを有する電気コネクタ１を提供し、ディスプレイに適用し、該ディスプレイは、液晶ディスプレイ、プラズマディスプレイ及びプロジェクションディスプレイを含む。該電気コネクタは、本体１１と、伝送線１２と、複数のプラグ１３を含む。該本体１１は、該ディスプレイ上に設置され、該本体１１上にピンソケット１１１を設置し、該ピンソケット１１１の両側に複数のピン１１２を設置し、該複数のピン１１２は、複数の映像音響インタフェースの信号伝送を行うことに用い、該複数の映像音響インタフェースは、ビデオグラフィックアレイ（Video Graphics Array,VGA）、デジタルビジュアルインタフェース（Digital Visual Interface,DVI）及びＨＤＭＩ（High Definition Multimedia Interface,HDMI）を含む。
【００１８】
該伝送線１２が該複数のピン１１２に電気接続し、該伝送線１２の内部に複数の信号線１２１を設置し、各１つの信号線１２１は、１つの映像音響インタフェースの信号伝送を行うことに用いる。該複数のプラグ１３は、該伝送線１２に電気接続し、各１つのプラグ１３は、それぞれ１つの信号線１２１に電気接続し、各プラグ１３は、映像音響インタフェースの信号伝送を行うことに用いる。
【００１９】
そのうち、該本体１１は、絶縁材質であり、該本体１１及び該ピンソケット１１１は、一体に成型され、該伝送線１２及び該複数のプラグ１３も一体に成型されることができる。各１つのプラグ１３は、挿入口１３１を有し、該挿入口１３１は、電子設備に接続し、該電子設備の信号を該ディスプレイに伝送するか、該ディスプレイの信号を該電子設備に伝送する。
【００２０】
図２は、ピンソケットの細部拡大図である。図２を参照し、実施例において、該ピンソケット１１１が設置する複数のピン１１２は、その数量が３５個であることができる。該複数のピン１１２は、機能性の需要又は業界慣用の規格に応じ、順に配列を行うことができる。ビデオグラフィックインタフェース、デジタルビジュアルインタフェース及びＨＤＭＩの規格において、一部のピンの定義が同一であるので、一部のピンは、共用することができる。且つディスプレイ自身が有する機能により、該複数の映像音響インタフェース中の１つの映像音響インタフェースが使用される時、その他の該映像音響インタフェースは、使用できず、該複数のピンの共用への影響を回避することができる。
【００２１】
ＤＶＩは、複数の規格を有し、ＤＶＩ−Ａ（アナログ信号のみを伝送）、ＤＶＩ−Ｄ（デジタル信号のみを伝送）及びＤＶＩ−Ｉ（デジタル及びアナログ信号を伝送可能）を含み、ＤＶＩ−Ａ等は、ＶＧＡと同一である。ＤＶＩ−Ｄ及びＤＶＩ−Ｉは、単一チャンネル及び双チャンネルに更に分けることができ、双チャンネルの信号伝送速度は、単一チャンネルに比べ二倍速くすることができる。ＨＤＭＩも複数の規格を有し、単一チャンネルのＨＤＭＩ−Ａ及び双チャンネルのＨＤＭＩ−Ｂを含む。
【００２２】
従いまして、ピン設計において、該電気コネクタ１の第１ピン１１２〜第６ピン１１２は、ＶＧＡ（ＤＶＩ−Ａと同一である）の信号伝送を行うことに用いることができる。第１ピン１１２〜第２７ピン１１２及び第３１ピン１１２〜第３５ピン１１２は、双チャンネルＤＶＩ−Ｉの信号伝送を行うことができる。第１ピン１１２〜第１８ピン１１２及び第３１ピン１１２〜第３５ピン１１２は、単一チャンネルＤＶＩ−Ｉの信号伝送を行うことに用いることができる。第７ピン１１２〜第２７ピン１１２及び第３１ピン１１２〜第３５ピン１１２は、双チャンネルＤＶＩ−Ｄの信号伝送を行うことに用いることができる。第７ピン１１２〜第１８ピン１１２及び第３１ピン１１２〜第３５ピン１１２は、単一チャンネルＤＶＩ−Ｄの信号伝送を行うことに用いることができる。第７ピン１１２から第３５ピン１１２は、双チャンネルＨＤＭＩ−Ｂの信号伝送を行うことに用いることができる。第７ピン１１２〜第１８ピン１１２及び第２８ピン１１２〜第３５ピン１１２（第３５ピン１１２を除外）は、単一チャンネルＨＤＭＩ−Ａの信号伝送を行うことに用いることができる。
【００２３】
上記のように、本考案の複数の映像音響インタフェースを有する電気コネクタは、複数の映像音響インタフェースの信号伝送を実現し、且つビデオグラフィックアレイ、デジタルビジュアルインタフェース及びＨＤＭＩの規格において、一部のピンの定義が同一であるので、一部のピンは、共用可能であり、従って、本考案は、複数の映像音響インタフェースを統一し、使用上の利便性を向上する以外に、製造コストを低減することもできる。
【００２４】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２５】
１  電気コネクタ
１１  本体
１１１  ピンソケット
１１２  ピン
１２  伝送線
１２１  信号線
１３  プラグ
１３１  挿入口
【図１】
0003169391.tif 000003
【図２】
0003169391.tif 000004